(57)【特許請求の範囲】
【請求項１】
一端が光コネクタに接続された光ファイバへ光を送出するようにした光出力装置の保護装置であって、前記光出力装置の出力端と前記光コネクタ間の前記光ファイバの途中に設けられ、前記光のうち、所望の波長帯の光を平行光に変換する拡散手段と、この平行光を集光して前記光ファイバへ伝達する集束手段とを有する光学的手段を含むことを特徴とする光出力装置の保護装置。
【請求項２】
前記光出力装置は、前記光ファイバへ光を出力する光源であることを特徴とする請求項１記載の光出力装置の保護装置。
【請求項３】
前記光出力装置は、前記光ファイバへ光を出力する光増幅装置であることを特徴とする請求項１記載の光出力装置の保護装置。
【請求項４】
前記光出力装置は、前記光ファイバへ励起光を出力する光源であることを特徴とする請求項１記載の光出力装置の保護装置。
【請求項５】
前記拡散手段と前記集束手段とが対向して配置されていることを特徴とする請求項１〜４いずれか記載の光出力装置の保護装置。
【請求項６】
前記拡散手段と前記集束手段とが所定空間を介して対向して配置されていることを特徴とする請求項５記載の光出力装置の保護装置。
【請求項７】
前記拡散手段と前記集束手段とは、コリメータ対であることを特徴とする請求項６記載の光出力装置の保護装置。
【請求項８】
前記拡散手段と前記集束手段とは一体化されていることを特徴とする請求項１〜４いずれか記載の光出力装置の保護装置。
【請求項９】
前記光出力装置と独立に交換可能であることを特徴とする請求項１〜８いずれか記載の光出力装置の保護装置。
【請求項１０】
光を出力する光出力装置と、前記光を中継する光中継機と、前記光中継機からの光を受信する受信装置と、これ等光出力装置、光中継機、及び受信装置とを互いに接続する光ファイバとを含む光伝送システムであって、
前記光出力装置は、請求項１または２記載の保護装置を含むことを特徴とする光伝送システム。
【請求項１１】
前記光中継機は、前記光ファイバから入力される光を増幅し、この増幅した光を送出する光増幅装置を含み、
前記光増幅装置は、請求項１または３記載の保護装置を含むことを特徴とする請求項１０記載の光伝送システム。
【請求項１２】
光を出力する光出力装置と、前記光を中継する光中継機と、前記光中継機からの光を受信する受信装置と、これ等光出力装置、光中継機、及び受信装置とを互いに接続する光ファイバとを含む光伝送システムであって、
前記光中継機は、前記光ファイバ中の物質を励起する励起光源と、前記光と前記励起光源から出射される励起光とを合波する合波手段とを含む励起装置を含み、
前記励起装置は、請求項１または４記載の保護装置を含むことを特徴とする光伝送システム。
【請求項１３】
一端が光コネクタに接続された光ファイバへ光を送出するようにした光出力装置の保護方法であって、前記光出力装置の出力端と前記光コネクタ間の前記光ファイバの途中において、前記光のうち、所望の波長帯の光を平行光に変換し、この平行光を再び集光して前記光ファイバへ伝達する光学的方法を含むことを特徴とする光出力装置の保護方法。
【発明の詳細な説明】
【０００１】
【発明の属する技術分野】
本発明は光出力装置の保護装置並びにそれを用いた光伝送システムに関するものであり、特に光ファイバへ光を送出するようにした光出力装置の保護装置並びにそれを用いた光伝送システム及び光出力装置の保護方法に関するものである。
【０００２】
【従来の技術】
今日、光ファイバを用いた光伝送システムでは、通信トラフィックの急増に追随するため、波長分割多重（ＷＤＭ：Ｗａｖｅｌｅｎｇｔｈ  ＤｉｖｉｓｉｏｎＭｕｌｔｉｐｌｅｘ）技術が広く用いられている。この技術を用いると、光ファイバに入射する光のレベルは多重化される波長数に依存するため、波長多重数の増加に伴い光の出力レベルが極めて高くなる。その結果、ワットクラスといった従来では考えられなかったようなハイレベルな光を出力する高出力光増幅器の商品化が促進され、徐々に普及し始めている。
【０００３】
また、光を増幅する技術として、分布ラマン増幅という技術も商用化へ向けて開発が進められている。ラマン増幅とは、シリカガラスで構成されている光ファイバに、信号光と、信号光より周波数が約１３ＴＨｚ高い励起光とを同時に入力すると、シリカガラスの誘導ラマン散乱現象により、励起光のエネルギーの一部が信号光に移ることである。
【０００４】
分布ラマン増幅とは、信号を伝達する光ファイバそれ自体に励起光を流し込むことによって、信号光を増幅しながら伝送する形態である。これにより、伝送路の伝搬損失がラマン増幅で補償されるため、光増幅中継に伴うノイズ光の累積が抑圧され、伝送可能距離を伸延することができる。この分布ラマン増幅を実現するためには、１Ｗ弱の高いパワーの励起光を伝送路光ファイバに入射する必要がある。
【０００５】
同様に高いパワーの光を伝送路ファイバに流し込む形態として、遠隔励起による光増幅システムというものがある。一般的なファイバ型光増幅器の構成は、エルビウム（Ｅｒ）等の希土類を添加した光ファイバに励起光を入力して希土類元素を励起しておき、そこに信号光を通過させることにより誘導放出させて光増幅を行うものである。遠隔励起（ｒｅｍｏｔｅ  ｐｕｍｐｉｎｇ）とは、希土類添加光ファイバと励起光源の間に伝送路光ファイバを挟んだ構成である。この構成の長所は挟み込まれた伝送路光ファイバの分だけ伝送距離を伸ばせることであるが、短所としては挿入した伝送路光ファイバのロス分だけ高いパワーの励起光を入力する必要があることである。近年その励起パワーはやはり１Ｗ程度に達している。
【０００６】
【発明が解決しようとする課題】
上述のように光ファイバを用いた光伝送システムにおいては、光出力装置から光ファイバへ入射される光の出力レベルが増加する傾向にあるため、このハイレベルの光に起因する様々な問題が懸念されている。
【０００７】
光ファイバケーブルそれ自体では何等問題なく伝送可能なレベルの光であっても、光コネクタ等の光ファイバの端面が焼損してしまう現象は非常に多く発生している。光ファイバケーブルが全て融着接続され、光コネクタがなければ光ファイバの端面が露出することがないため、光ファイバの端面が焼損するおそれはないが、光ファイバケーブルを全て融着接続とすることは現実的でなく、ほとんどの場合光コネクタによる接続を行っている。
【０００８】
光コネクタ等の焼損現象は、光増幅器が商用化された頃から顕在化しており、光コネクタ等の部品を摩耗粉を生じない材料へ転換したり、光ファイバの端面の清掃方法を改善する等、様々な検討がなされてきた。しかし、未だ光ファイバの端面の焼損現象を完全に無くすことはできず、むしろ光の出力レベルの上昇に伴い発生頻度は増加している。
【０００９】
更に問題となるのは、光ファイバの端面の焼損がきっかけとなり、光出力装置に向かって連鎖的に焼損が伝搬する、所謂ファイバヒューズと呼ばれる現象である。光ファイバの端面の焼損による発熱によって、温度が約１１００℃を超えると、光ファイバのガラスの吸収係数が急激に増大し、更なる温度上昇により光ファイバを伝って隣接する光ファイバをあぶり、更に光ファイバのガラスの吸収係数が増大していくという悪循環に陥るのである。
【００１０】
光ファイバにハイレベルの光が入力される場合に懸念される問題の１つであるファイバヒューズ（溶断）現象については、ＳＰＩＥ  Ｖｏｌ．２９６６，  ｐｐ．５９２−６０６，”Ａ  ｃｏｍｐａｒａｔｉｖｅ  ｅｖａｌｕａｔｉｏｎ  ｏｆ  ｆｉｂｅｒ  ｆｕｓｅ  ｍｏｄｅｌ”，ＳＰＩＥ  Ｖｏｌ．２７１４，  ｐｐ．２０２−２１０，”Ｅｘｐｅｒｉｍｅｎｔａｌ  ｄａｔａ  ｏｎ  ｔｈｅｆｉｂｅｒ  ｆｕｓｅ”，共にＤ．Ｄ．Ｄａｖｉｓ，Ｓ．Ｃ．Ｍｅｔｔｌｅｒ，Ｄ．Ｊ．ＤｉＧｉｏｖａｎｎｉによる報告に詳しく記述されている。
【００１１】
このファイバヒューズ現象は、光ファイバ融着接続部や光コネクタ接続部等を容易に乗り越えてしまうので、最終的には光出力装置の内部にまで破壊が進行してしまうことになる。このファイバヒューズ現象による破壊が光出力装置内部まで達すると、その修繕が非常に困難になることから、ファイバヒューズ現象の進行を光出力装置の手前で防止することが求められている。
【００１２】
そこで、本発明はかかる従来技術の問題点を解決すべくなされたものであって、その目的とするところは、光ファイバへ接続される光出力装置を、ファイバヒューズ現象から有効に保護する光出力装置の保護装置並びにそれを用いた光伝送システム及び光出力装置の保護方法を提供することにある。
【００１３】
【課題を解決するための手段】
本発明によれば、一端が光コネクタに接続された光ファイバへ光を送出するようにした光出力装置の保護装置であって、前記光出力装置の出力端と前記光コネクタ間の前記光ファイバの途中に設けられ、前記光のうち、所望の波長帯の光を平行光に変換する拡散手段と、この平行光を集光して前記光ファイバへ伝達する集束手段とを有する光学的手段を含むことを特徴とする光出力装置の保護装置が得られる。
【００１４】
また、前記光出力装置は、前記光ファイバへ光を出力する光源であることを特徴とし、前記光ファイバへ光を出力する光増幅装置であることを特徴とする。
【００１５】
そして、前記光出力装置は、前記光ファイバへ励起光を出力する光源であることを特徴とする
【００１６】
更に、前記拡散手段と前記集束手段とが対向して配置され、前記拡散手段と前記集束手段とが所定空間を介して対向して配置されていることを特徴とする。
【００１７】
また、前記拡散手段と前記集束手段とは、コリメータ対であることを特徴とし、前記拡散手段と前記集束手段とは一体化されていることを特徴とする。
【００１８】
そして、前記保護装置は、前記光出力装置と独立に交換可能であることを特徴とする。
【００１９】
また、本発明によれば、光を出力する光出力装置と、前記光を中継する光中継機と、前記光中継機からの光を受信する受信装置と、これ等光出力装置、光中継機、及び受信装置とを互いに接続する光ファイバとを含む光伝送システムであって、前記光出力装置は、前記保護装置を含むことを特徴とする光伝送システムが得られる。
【００２０】
そして、前記光中継機は、前記光ファイバから入力される光を増幅し、この増幅した光を送出する光増幅装置を含み、前記光増幅装置は、前記保護装置を含むことを特徴とする。
【００２１】
更にまた、本発明によれば、光を出力する光出力装置と、前記光を中継する光中継機と、前記光中継機からの光を受信する受信装置と、これ等光出力装置、光中継機、及び受信装置とを互いに接続する光ファイバとを含む光伝送システムであって、前記光中継機は、前記光ファイバ中の物質を励起する励起光源と、前記光と前記励起光源から出射される励起光とを合波する合波手段とを含む励起装置を含み、前記励起装置は、前記保護装置を含むことを特徴とする光伝送システムが得られる。そして、本発明によれば、一端が光コネクタに接続された光ファイバへ光を送出するようにした光出力装置の保護方法であって、前記光出力装置の出力端と前記光コネクタ間の前記光ファイバの途中において、前記光のうち、所望の波長帯の光を平行光に変換し、この平行光を再び集光して前記光ファイバへ伝達する光学的方法を含むことを特徴とする光出力装置の保護方法が得られる。
【００２２】
本発明の作用を述べる。先端に光コネクタが設けられた光ファイバへ光を送出する光出力装置の出力端と光コネクタとの間を、コリメータ対を挿入した特殊なケーブルで接続し、光出力装置に対して外部から交換可能な形で取り付ける。光コネクタの光ファイバ端面が焼損するファイバヒューズ現象が発生し、温度上昇による溶断が発生した場合、光コネクタに接続されたコリメータ対入りケーブルに伝導した熱エネルギーは、コリメータ対の部分で分散されるため、温度上昇に伴う熱伝導は遮断され、ファイバヒューズ現象の進行が妨げられる。これにより、ファイバヒューズ現象は光出力装置の光源内部には届かず、光ファイバ伝送路の障害を最小限に抑制することができる。また、ファイバヒューズ現象が発生しても、焼損したコリメータ対入りケーブルや光ファイバのみを交換すれば修繕可能となるため、簡便で低コストに光伝送システムの復旧が図られる。
【００２３】
【発明の実施の形態】
以下に、添付図面を参照しつつ本発明の実施の形態について説明する。図１は本発明の実施の一形態における光出力装置の保護装置を高出力光増幅器に適用した場合の構成を示す図である。図１において、１は高出力光増幅器であり、入力端子２と出力端子３とを有し、入力端子２の光コネクタ４２に接続された光ファイバ７から入力される入力光をハイレベルの光として増幅し、この増幅した光を出力端子３の光コネクタ４３から出力光として出力する構成である。
【００２４】
また、出力端子３の光コネクタ４３に接続されている光ファイバケーブル６は、途中にコリメータ対５を挟んだ特殊なコードであるコリメータ対入りパッチコードである。コリメータ対入りパッチコード６の出力は光コネクタ４０に接続されており、光コネクタ４０と外部の光ケーブル７に接続された光コネクタ４１とが接続されている。高出力光増幅器１の出力端子３から出力されたハイレベルの出力光は、光コネクタ４３、コリメータ対５、コリメータ対入りパッチコード６、光コネクタ４０，４１を通り、光ファイバ７へ伝達される。
【００２５】
ここで、図１に示したコリメータ対５について詳細に説明する。図２は、コリメータ対の構成を示した図である。図２において、７１，７２は光ファイバであり、８１，８２はコリメートレンズである。光ファイバ７１から入射された入力光のうち、所望の波長帯、具体的には１．５５μｍ帯の波長の光はコリメートレンズ８１で所望の波長帯の光９０に変換され、この１．５５μｍ帯の波長の光９０が再びコリメートレンズ８２で集光され、光ファイバ７２に伝達される。
【００２６】
また、光ファイバ７１から入力された入力光のうち、所望の波長帯以外、すなわち１．５５μｍ帯の波長以外の光はコリメートレンズ８１で発散光９１に変換され、光ファイバ７２に伝達されることなく散逸される。すなわち、光ファイバ７１に入力された入力光のエネルギーのうち、所望の周波数帯の光のエネルギーだけが光ファイバ７２に伝達される仕組みである。
【００２７】
この光ファイバ７１とコリメートレンズ８１とを一体化したもの、あるいは光ファイバ７２とコリメートレンズ８２とを一体化したものをコリメータ、あるいはビームエキスパンダといい、この２つのコリメータをお互いに向かい合わせて配置したものをコリメータ対という。なお、このコリメータは市販されており、コリメートレンズとしては、グレーテッドインデックス型（以下、ＧＲＩＮと略す）ロッドレンズが通常良く用いられている。また、コリメートレンズ８１と８２との間隔は１０ｍｍから１５ｍｍ程度であり、所望の周波数帯の光が透過する際の伝搬損失は０．２ｄＢ以下と低損失である。
【００２８】
このコリメータ対は、コリメートレンズ８１と８２との間に任意の光学部品を挿入することによって、各種の光部品モジュールを構成することができることから、今日では工業的に幅広く用いられている。例えば誘電体多層膜フィルタ板を挟み込むことにより、光フィルタモジュールが構成され、ファラデー素子を挿入することにより光アイソレータが構成されている。
【００２９】
本発明の場合、このコリメートレンズ８１と８２との間には何も光学部品を挿入せずに光部品モジュールを構成している。よって、図３に示すようにＧＲＩＮロッドレンズ１つでコリメータを構成することも可能である。この場合のＧＲＩＮロッドレンズとしては、コリメータに用いられる約０．２５ピッチの倍の約０．５０ピッチのものを用いる。ピッチとはＧＲＩＮレンズ内の光線の蛇行周期であり、約０．２５ピッチとは入射端面に置いた点光源が平行ビームとなって出射されるピッチであり、約０．５０ピッチとは入射端面に置いた像の倒立像が出射端面に結像されるピッチである。図３は、図１におけるコリメータ対５の他の構成を示した図である。図３において、図２と同等部分については同一符号で示している。ピッチ約０．５０のＧＲＩＮロッドレンズ８０は、図２におけるコリメートレンズ８１と８２とを一体化したものであり、所望の波長帯の光９０は空間を介さずにコリメートレンズ８０内を伝搬している。
【００３０】
次に、本発明における光出力装置の保護装置の動作について図１を参照しながら詳細に説明する。図１において、ファイバヒューズ現象の発生し易い場所は、光ファイバの端面が露出している光コネクタの部分である。しかも、光出力装置との距離が近い光コネクタほど、レベルの高い光が伝搬しているため、ファイバヒューズ現象が発生する危険性が高い。
【００３１】
光ファイバの何れかでファイバヒューズ現象が発生した場合、例えば図１の光コネクタ４１の光ファイバ７の端面において焼損が発生すると、焼損による発熱が隣接する光コネクタ４０へ伝搬し、コリメータ対入りパッチコード６の温度が上昇する。そして、熱がコリメータ対入りパッチコード６を伝って高出力光増幅器１の方向へ遡っていく。
【００３２】
かかる場合、コリメータ対５のうち、光コネクタ４０側に配置されたコリメートレンズに達した熱エネルギーは光コネクタ４３側に配置されたコリメートレンズに伝達されず、光コネクタ４０側に配置されたコリメートレンズで分散される。
【００３３】
これにより、光コネクタ４３側に配置されたコリメートレンズに伝達される熱量は極めて僅かとなるため、焼損による発熱は光コネクタ４０側に配置されたコリメートレンズまで遡ったところで阻止され、ファイバヒューズ現象はこれ以上進行しないことになる。従って、ファイバヒューズ現象は高出力光増幅器１に伝搬せず、高出力光増幅器１の内部破壊が阻止される。
【００３４】
次に、本発明の他の実施の形態について説明する。図４は、本発明における保護装置を分布増幅系に適用した場合の構成を示すブロック図である。ここで、分布増幅とは、分布ラマン増幅のように伝送路で伝送しながら分布的にロスを補償することをいう。図４において、４は光コネクタ、１１はラマン増幅用励起光源１４を含む光中継機であり、ラマン増幅用励起光源１４は、光合波器１２と、励起光源１３とから構成されている。なお、これ以外の図１と同等部分については同一符号で示している。
【００３５】
図４において、分布ラマン増幅とは光中継機１１から出力された信号光αに対して、励起光源１３から励起光βを光合波器１２を経由して光ファイバ７に入射し、光ファイバ中の誘導ラマン散乱現象を利用して、励起光βから信号光αに光エネルギーを移して信号光αを増幅するものである。従って、光中継機１１の入力側の光コネクタ４にはハイレベルの励起光βが通過している。
【００３６】
かかる場合、光中継機１１の入力端の光コネクタ４と、ラマン増幅用励起光源１４の入力端の光コネクタ４との間に接続されるケーブルとして、コリメータ対５を間に挟んだコリメータ対入りパッチコード６を用いる。
【００３７】
光中継機１１の入力側の光ファイバ７にはレベルの高い励起光が通過しているため、光中継機１１の入力端の光コネクタ４の光ファイバ７の端面で焼損が発生しても、図１で説明したように、コリメータ対入りパッチコード６に達した熱は、光中継機１１の入力側に配置されたコリメートレンズで分散され、光中継機１１内のラマン増幅用励起光源１４にファイバヒューズ現象は伝搬せず、ラマン増幅用励起光源１４の破壊が阻止される。
【００３８】
次に、本発明の更に他の実施の形態について説明する。図５は、本発明における保護装置を集中増幅系へ適用した場合の構成を示すブロック図である。ここで、集中増幅とは、ＥＤＦＡ（Ｅｒ  Ｄｏｐｅｄ  Ｆｉｂｅｒ  Ａｍｐｌｉｆｉｅｒ：エルビウムドープ光ファイバ増幅器）のように、中継器で伝送路のロスを集中的に補償することをいう。図５において、本増幅系は、光を光ファイバ７へ出力する送信装置２０と、光ファイバ７に出力された光を中継する光中継機１０と、中継された光を受信する受信装置３０とから構成されている。なお、この光伝送システムにおいて、光中継機１０は少なくとも１台設けられているものとする。
【００３９】
図５において、送信装置２０は、光を生成する光源２１を有し、その出力側の光コネクタ４と、送信装置２０と光ファイバ７との接続点である光コネクタ４との間は、コリメータ対５を間に挟んだコリメータ対入りパッチコード６で接続されている。また、各光中継機１０は高出力光増幅器１を有し、その出力側の光コネクタ４と、光中継機１０と光ファイバ７との接続点である光コネクタ４との間も、コリメータ対５を間に挟んだコリメータ対入りパッチコード６で接続されている。
【００４０】
次に、図５における増幅系の動作について説明する。図５において、光源２１から送出された光は光コネクタ４と、コリメータ対５と、コリメータ対入りパッチコード６を通り、光コネクタ４を介して外部に接続された光ファイバ７へ出力され、途中に挿入されている光中継機１０によって、光が所定のレベルまで増幅され、最終的に受信装置３０で受信される。
【００４１】
ここで、送信装置２０の出力に設けられた光コネクタ４、あるいは各光中継機１０の出力に設けられた光コネクタ４に接続された光ファイバ７の何れかの端面において焼損が発生したとしても、図１で説明したようにコリメータ対５内のコリメートレンズの部分で熱エネルギーは分散され、送信装置２０内の光源２１、あるいは光中継機１０内の高出力光増幅器１にファイバヒューズ現象は伝搬せず、光源２１および高出力光増幅器１の破壊が阻止される。
【００４２】
また、図６は本発明における保護装置をハイブリッドな系へ適用した場合の構成を示すブロック図である。図６における増幅系は、図５に示した光中継機の中の光増幅器が、分布増幅系と集中増幅系とが混在している場合の増幅系である。なお、図６において、図４および図５と同等部分については同一符号で示しており、この増幅系においても、光中継機９は少なくとも１台設けられているものとする。
【００４３】
図６において、光中継機９はラマン増幅用励起光源１４を有し、光中継機９の光ファイバ７との接続点である入力側の光コネクタ４と、ラマン増幅用励起光源１４の入力側の光コネクタ４との間は、コリメータ対５を間に挟んだコリメータ対入りパッチコード６で接続されている。図６におけるラマン増幅用励起光源１４の動作、および光伝送システムの動作は、図４および図５の場合と同様であるため、詳細な説明は省略する。
【００４４】
ここで、送信装置２０の出力に設けられた光コネクタ４、あるいは光中継機９の入力に設けられた光コネクタ４に接続された光ファイバ７の何れかの端面において焼損が発生したとしても、図１で説明したようにコリメータ対５内のコリメートレンズの部分で熱エネルギーは分散され、送信装置２０内の光源２１、あるいは光中継機９内のラマン増幅用励起光源１４にファイバヒューズ現象は伝搬せず、光源２１およびラマン増幅用励起光源１４の破壊が阻止される。
【００４５】
以上説明したように、光コネクタに接続された光ファイバの端面でファイバヒューズ現象が発生した場合であっても、光源２１、高出力光増幅器１およびラマン増幅用励起光源１４には一切手を加えることなく、コリメータ対５を間に挟んだコリメータ対入りパッチコードコード６、焼損した光コネクタ４および光ファイバ７のみを交換することで光伝送システムの修繕が可能となる。また、コリメータ対５を間に挟んだコリメータ対入りパッチコード６は、安価で省スペースであるから光伝送システムの保守部品として常備しておくことも可能である。
【００４６】
なお、本発明が上記実施の形態に限定されず、本発明の技術的思想の範囲内において適宜変更され得ることは明らかである。例えば、上記実施の形態では保護装置を、高出力光増幅器やラマン増幅器に適用した場合について説明しているが、光を出力する様々な光出力装置においても広く適用可能であることは明らかである。
【００４７】
【発明の効果】
叙上の如く、本発明によれば、コリメータ対を間に挟んだコリメータ対入りパッチコードを光出力装置の出力に外部から交換可能な形で取り付けることで、光ファイバの端面焼損に起因するファイバヒューズ現象が発生しても、焼損による溶断を光出力装置の手前で阻止することが可能となる。従って、光出力装置の内部破壊を未然に防止することができるという効果がある。
【００４８】
更に、本発明によれば、コリメータ対入りパッチコードは安価で、低損失であるから、実使用における光レベルの低下は僅かであり、ファイバヒューズ現象が発生しても、焼損したコリメータ対入りパッチコードや光ファイバのみを交換すれば良いため、簡便で低コストに光伝送システムを復旧することができるという効果もある。
【図面の簡単な説明】
【図１】本発明における保護装置を高出力光増幅器に適用した場合の構成図である。
【図２】コリメータ対の構成図である。
【図３】コリメータ対の他の構成図である。
【図４】本発明における保護装置を分布増幅系に適用した場合のブロック図である。
【図５】本発明における保護装置を集中増幅系に適用した場合のブロック図である。
【図６】本発明における保護装置をハイブリッドな系に適用した場合のブロック図である。
【符号の説明】
１  高出力光増幅器
２  入力端子
３  出力端子
５  コリメータ対
４，４０，４１，４２，４３  光コネクタ
６  コリメータ対入りパッチコード
７，７１，７２  光ファイバ
９，１０，１１  光中継機
１２  光合波器
１３  励起光源
１４  ラマン増幅用励起光源
２０  送信装置
２１  光源
３０  受信装置
８０  ピッチ約０．５０のＧＲＩＮロッドレンズ
８１，８２  コリメートレンズ
９０  所望の波長帯の光
９１  所望の波長帯以外の光
【図１】
0003826726.tif 000002
【図２】
0003826726.tif 000003
【図３】
0003826726.tif 000004
【図４】
0003826726.tif 000005
【図５】
0003826726.tif 000006
【図６】
0003826726.tif 000007